(57)【要約】      （修正有）【課題】効果的に装備の重量が人体上で均一になることを助け、背負う重量を単点負担から多点支えに転換し、携帯の利便性を増加させ、体の負担を軽減させるシングルショルダーベルトショルダーバッグを提供する。【解決手段】第一束ウエストベルト１の定点端１１は肩ベルト３とショルダーバッグ、ショルダーポケット本体４の連接箇所の区域に繋がっており、第二束ウエストベルト２の定点端２１は肩ベルト３とショルダーバッグ、ショルダーポケット本体４の連接箇所の区域に繋がっている。第一束ウエストベルト１の活動端には第一連接件１２が備わっており、第二束ウエストベルト２の活動端具には第二連接件２２があり、第一束ウエストベルト１の第一連接件１２と第二束ウエストベルト２の第二連接件２２は互いに連結することで、第一束ウエストベルト１と第二束で腰２ベルトで人体の腰部の束ウエストベルトを構成し、接続後二つの束ウエストベルトは離すこともできる。【選択図】図１
0003132111.tif 000002
【実用新案登録請求の範囲】
【請求項１】
ショルダーポケットの束ウエストベルトで、主に肩ベルトとショルダーバッグ、ショルダーポケット本体の連接箇所の区域に束ウエストベルトを設け、当該の束ウエストベルトには第一束ウエストベルトおよび第二束ウエストベルトが含まれ、そのなかには；第一束ウエストベルトの定点端が肩ベルトとショルダーバッグ、ショルダーポケット本体の連接箇所の区域に繋がっており、第二束ウエストベルトの定点端は肩ベルトとショルダーバッグ、ショルダーポケットの本体連接箇所の区域に繋がっており、第一束ウエストベルトの活動端には第一連接件が備わっており、第二束のウエストベルトの活動端具に第二連接件に繋がり、第一束ウエストベルトの第一連接件と第二束ウエストベルトの第二連接件は相互に繋がることで、第一束ウエストベルトと第二束ウエストベルトで人体の腰部の束ウエストベルト、および分離化能な状態を形成していることを特徴とするシングルショルダーベルトショルダーバッグ。
【請求項２】
ショルダーポケットの束ウエストベルトについて、その中の第一束ウエストベルト定点端は肩ベルトとショルダーバッグ、ショルダーポケット本体の連接箇所の区域に固定連結されていることを特徴とする請求項１記載のシングルショルダーベルトショルダーバッグ。
【請求項３】
ショルダーポケットの束ウエストベルトで、その中の第二束ウエストベルト定点端は肩ベルト與ショルダーバッグ、ショルダーポケット本体の連接箇所の区域に固定連結されていることを特徴とする請求項１記載のシングルショルダーベルトショルダーバッグ。
【請求項４】
ショルダーポケットの束ウエストベルトで、その中の第一束ウエストベルトの定点端はショルダーバッグ、ショルダーポケット本体の間で取り外し可能な分離式連接となっていることを特徴とする請求項１記載のシングルショルダーベルトショルダーバッグ。
【請求項５】
ショルダーポケットの束ウエストベルトで、その中の第二束ウエストベルトの定点端とショルダーバッグ、ショルダーポケット本体の間は取り外し可能な分離式連接となっていることを特徴とする請求項１記載のシングルショルダーベルトショルダーバッグ。
【請求項６】
ショルダーポケットの束ウエストベルトで、その中の第一束ウエストベルトは定点端の位置の近隣でさらに進んで巻き取りベルト装置を設けていることを特徴とする請求項１記載のシングルショルダーベルトショルダーバッグ。
【請求項７】
ショルダーポケットの束ウエストベルトで、その中の第二束ウエストベルトは近隣の定点端位置でさらに進んで巻き取りベルト装置を設けていることを特徴とする請求項１記載のシングルショルダーベルトショルダーバッグ。
【考案の詳細な説明】
【技術分野】
【０００１】
本考案はシングルショルダー式のショルダーバッグ、ショルダーポケットの束ウエストベルトに関するもので、特に効果的な装備(ショルダーバッグ、袋)の重量を均等に人体上に分散させることを助け、背負った重量を単点負重から多点の支えに転換させることで、効果的にショルダーバッグ、ショルダーポケットを増加させ、身体の負担を軽減させる。
【背景技術】
【０００２】
屋外運動の普及にともない、休日の各種レジャーは非常に盛んになっており、屋外活動人口の増加にともない、各種のナップサック、ショルダーバッグは品物の携帯に便利なようになっているが、一般のナップサックは多くの背負い方も有り、この重さの効果はそれぞれ異なる。このうち、ショルダーバッグあるいはショルダーポケットの使用は通常シングルショルダーを背負う状態にデザインされており、シングルショルダーの支え点は容易に肩や頚部を不快にさせ、しかも重量が超過した場合、人体を傷つける。
【０００３】
また、一般に使用されるショルダーバッグあるいはショルダーポケットは物品の搭載を助けるために使用するが、ショルダーバッグあるいはショルダーポケット内の物品は常に搭載重量の不均衡のため、重量を超過すればシングルショルダーあるいは片手の負荷の時、その移動あるいは搬運時の利便性は大幅に低くなり、引いては筋肉を傷つける。
【考案の開示】
【考案が解決しようとする課題】
【０００４】
本考案は上述のシングルショルダー式ショルダーバッグあるいはショルダーポケットの負担の欠点に鑑み、またよりよいものを求める進歩の精神に則り、その専門知識と設計製造の経験を相互に補佐させ、多方面の思考に即してテストを行い、上述の欠点に対して改良を加えることで、使用者を保護する良好な負担効果と支える力を提供する。
【０００５】
本考案も主要目的は、シングルショルダーベルトショルダーバッグ、ショルダーポケットの束ウエストベルトを提供し、重力分散の原理を利用し、ショルダーバッグ、ショルダーポケット本体を束ウエストベルトも連結させ、重量を肩や腰で分散させ、重心をシングルショルダーだけとせず上、移動によってショルダーバッグ、ショルダーポケットの重量の変化が重心の不安定さを招くことなくし、効果的に単点支えがもたらす傷害を軽減することに有る。
【０００６】
また、上述の目的を達するため、本考案は主に以下の特徴を備えている。
一種のシングルショルダーベルトショルダーバッグ、ショルダーポケットの束ウエストベルトでは、主に肩ベルトとショルダーバッグ、ショルダーポケット本体の連接箇所の区域に束ウエストベルトが設けられているが、当該の束ウエストベルトには第一束ウエストベルトと第二束ウエストベルトが含まれる。
【０００７】
そのなかには、第一束ウエストベルトの定点端は肩ベルトとショルダーバッグ、ショルダーポケット本体の連接箇所の区域につながり、第二束ウエストベルトの定点端は肩ベルトとショルダーバッグ、ショルダーポケット本体の連接箇所の区域につながっている。第一束ウエストベルトの活動端には第一連接件があり、第二束ウエストベルトの活動端には第二連接件がある。第一束ウエストベルトの第一連接件と第二束ウエストベルトの第二連接件は互いにつながり、第一束ウエストベルトと第二束ウエストベルトを人体の腰部の束ウエストベルトに形成している。
【実施例】
【０００８】
図１、図２および図８、図９の示すところを参照されたし。本考案のシングルショルダー式ショルダーバッグ、ショルダーポケットの束ウエストベルトは主要に肩ベルト３とショルダーバッグ、ショルダーポケットの本体４の連接箇所の区域に束ウエストベルトを設けていることで、当該の束ウエストベルトが提供する主な功能は効果的に装備(ショルダーバッグ、袋、ゴルフボール袋)の重量を平均して人体上に分布させることを助け、単点負担を多点負担に転換させることにある。
【０００９】
当該の束ウエストベルトには第一束ウエストベルト１および第二束ウエストベルト２が包括され、そのうち第一束ウエストベルト１および第二束ウエストベルト２の材質は伸縮可能なものと伸縮できないものの二種類あり、第一束ウエストベルト１あるいは第二束ウエストベルト２具には長さを調整できる装置、例えばバックルで第一束ウエストベルト１の位置を定めるもの（第一図を参照）で、この種の構造は同樣に第二束ウエストベルト２にも応用できる（図では示していない）。
【００１０】
第一束ウエストベルト１の定点端１１は肩ベルト３とショルダーバッグ、ショルダーポケット本体４の連接箇所の区域に繋がっており、第二束ウエストベルト２の定点端２１は肩ベルト３とショルダーバッグ、ショルダーポケット本体４の連接箇所の区域に繋がっている。第一束ウエストベルト１の活動端には第一連接件１２が備わっており、第二束ウエストベルト２の活動端具には第二連接件２２があり、第一束ウエストベルト１の第一連接件１２と第二束ウエストベルト２の第二連接件２２は互いに連結することで、第一束ウエストベルト１と第二束で腰２ベルトで人体の腰部の束ウエストベルトを構成し、接続後二つの束ウエストベルトは離すこともできる。シングルショルダーベルトショルダーバッグ、ショルダーポケットを束ウエストベルト合わせて使用することで、その重量を肩および腰に分散させ、その重心はシングルショルダー上に集まらず、そのためショルダーバッグ、ショルダーポケットが異動せず、重量の不安定も発生しない。このため単点支えによって生まれる傷害を低減することができる。
【００１１】
図１および図２の示すとおり、当該の第一束ウエストベルト１および第二束ウエストベルト２の定点端１１、２１は肩ベルト３とショルダーバッグ、ショルダーポケット本体４の連接箇所の区域に連結固定され、第一束ウエストベルト１および第二束ウエストベルト２で調整することができる。
【００１２】
図３および図４で示した通り、第一束ウエストベルト１および第二束ウエストベルト２の第一連接件１２と第二連接件２２はバックル１２１、２２１とすることができる。あるいはマジックテープ（登録商標）ベルト１２２、２２２とすることもできる。
【００１３】
また、第一束ウエストベルト1および第二束ウエストベルト２の収納に利便を図るため、図５で示す実施例の通り、当該の第一束ウエストベルト１および第二束ウエストベルトは定点端１１、２１の位置に隣接し、巻き取りベルト装置５を設けている。
【００１４】
このほかに、図６、図７および図８で示すとおり、当該の第一束ウエストベルト１および第二束ウエストベルト２の定点端１１，２１は取り外しと連結ができ、その構造にはバックルパーツ６あるいはバインダー７などの結合方式が含まれる。
【００１５】
上述の構造は第一束ウエストベルトおよび第二束ウエストベルトの定点端が固定あるいは取り外し分離式で肩ベルトとショルダーバッグ、ショルダーポケット本体の連接箇所の区域に接続されているか否かを問わず、当該の肩ベルトと本体の連接区域が肩ベルトの直接その連接箇所およびその連接箇所の近隣区域の連接結合の範囲であることを示す。
【図面の簡単な説明】
【００１６】
【図１】束ウエストベルトがショルダーバッグ、ショルダーポケットで結合した外観の立体図。
【図２】束ウエストベルトが長さ調整可能であることを示した立体図。
【図３】束ウエストベルトがボタン式連接件を備えている立体図。
【図４】束ウエストベルトがマジックテープ（登録商標）ベルトの連接件を備えている立体図。
【図５】束ウエストベルトが巻き取りベルト装置を備えている立体図。
【図６】束ウエストベルトをどうやって折りたたみ分離するかを示したバックルパーツの実施例図。
【図７】束ウエストベルトをどうやって折りたたみ分離するかを示したバインダーの実施例図。
【図８】束ウエストベルトの実施でゴルフボール袋に使用した実施例図。
【図９】束ウエストベルトの実施でシングルショルダーショルダーバッグに使用した実施例図。
【符号の説明】
【００１７】
１      第一束ウエストベルト
１１    定点端
１２    第一連接件
１２１  バックル
１２２  マジックテープ（登録商標）ベルト
２      第二束ウエストベルト
２１    定点端
２２    第二連接件
２２１  バックル
２２２  マジックテープ（登録商標）ベルト
３      肩ベルト
４      本体
５      巻き取りベルト装置
６      バックルパーツ
７      バインダー
【図１】
0003132111.tif 000003
【図２】
0003132111.tif 000004
【図３】
0003132111.tif 000005
【図４】
0003132111.tif 000006
【図５】
0003132111.tif 000007
【図６】
0003132111.tif 000008
【図７】
0003132111.tif 000009
【図８】
0003132111.tif 000010
【図９】
0003132111.tif 000011